(57)【要約】本装置は基本的に、毛髪の一部から施術対象の房を選別するための選別櫛、および脱色または染色用の少なくとも１種類の液体または糊状の薬剤を内部に収容可能な少なくとも１個の区画を備えた容器とを含んでいる。前記櫛は、容器内に部分的に導入されていて同容器の内側を長さ方向に移動可能であり、櫛が容器に結合されていることにより、本装置の動作位置において櫛の移動が生じることで、櫛により選別された房のより長い部分が徐々に容器内に導入されるのと同時に、区画の内側が徐々に開いて容器内に導入された房の部分と連通し、前記部分を液体または糊状の薬剤に対して露出させる。
2015513996.tif 000002
【特許請求の範囲】
【請求項１】
少なくとも１種類の液体または糊状の薬剤（３）を塗布することにより毛髪の複数の房（２）を選択的に脱色または染色する装置（１）であって、
毛髪の一部から脱色または染色したい前記房（２）を選別するための選別櫛（４）と、
前記液体または糊状の薬剤（３）を内部に収容可能な少なくとも１個の区画（５０，５０ａ，５０ｂ）を備えた容器（５）と
を含み、
前記選別櫛（４）が前記容器（５）内に部分的に導入されていて同容器の内側に沿って移動可能であり、前記櫛（４）が前記容器（５）に結合されていることにより、前記装置の動作位置において前記櫛（４）の移動が生じることで、前記櫛（４）により選別された前記房（２）のより長い部分が徐々に前記容器（５）内に導入されるのと同時に、前記区画（５０，５０ａ，５０ｂ）の内側が徐々に開いて前記容器（５）内に導入された前記房（２）の部分と連通し、前記部分を前記液体または糊状の薬剤に対して露出させることを特徴とする装置。
【請求項２】
前記容器（５）が、前記装置の非動作位置において全長の半分に折り曲げられた平坦構造を有し、実際の構造の全長の半分に相当する部分が前記構造内に導入されていて、
前記容器（５）が、前記非動作位置において、外壁（５４）および内壁（５５）により形成される少なくとも１個の二重壁と、前記内壁により区切られていて内部に前記選別櫛（４）が部分的に導入される中央空間（５９）と、を含む本体（５３）を形成し、
前記本体（５３）が、前記平坦構造の折り曲げ部位（５６）に合致する前記本体（５３）の一方の終点において前記外壁（５４）、前記内壁（５５）および前記両壁の接合部位の間で区切られた空間により形成される少なくとも１個の区画（５０）を備え、
前記装置の動作位置において、前記本体（５３）の前記内壁（５５）が前記選別櫛（４）により前記平坦構造の前記折り曲げ部位（５６）の方へ引きずられることにより、前記内壁（５５）が前記外壁（５４）に対して移動して長さが短くなるため、前記平坦構造が終端動作位置まで展開されることにより前記平坦構造が完全に展開されて、前記非動作位置における前記外壁（５４）の長さに前記内壁（５５）の長さを加えた長さに等しい長さの少なくとも１枚の壁が生じることを特徴とする、請求項１に記載の装置（１）。
【請求項３】
前記容器（５）が、前記装置の非動作位置において当該装置の全長の半分に折り曲げられて配置された平坦な管状スリーブ構造を有し、展開状態における前記スリーブの全長の半分に等しい長さを有する前記スリーブの一部が、折り曲げられた状態で前記管状ケースの空洞内に導入されていて、前記容器（５）が前記非動作位置において、前記管状スリーブの前記折り曲げ部位（５６）により各々の両終端の一方で接合された前記外壁（５４）および前記内壁（５５）により形成された二重壁構造の中空管状本体（５３）を形成し、前記内壁（５５）が前記中央空間（５９）を形成し、前記折り曲げ部位（５６）の反対側にある前記内壁（５５）の他方の終端（５７）が前記選別櫛（４）に結合されていること、および前記装置の前記動作位置において、前記管状スリーブの展開が、前記スリーブが完全に展開されて、前記外壁（５４）と前記内壁（５５）の長さの和に等しい長さを有する単一の周囲壁、および前記周囲壁で仕切られた前記中央空間（５９）が生じる終端動作位置まで行われることを特徴とする、請求項２に記載の装置（１）。
【請求項４】
前記装置の非動作位置において前記容器（５）が、前記選別櫛（４）に結合されていて前記選別櫛（４）に関して対称に配置された平坦構造を有する２個の区画（５０ａ，５０ｂ）、および前記２個の区画（５０ａ，５０ｂ）の間に存在して内部に前記櫛（４）が部分的に導入された状態で配置された前記中央空間（５９）を含み、各区画（５０ａ，５０ｂ）が、互いに対向していて前記折り曲げ部位（５６）により各々の両終端の一方で接合された前記外壁（５４）および前記内壁（５５）により各区画（５０ａ，５０ｂ）が形成されるように層状構造をなす折り曲げ部位により形成され、前記２枚の内壁（５５）が前記中央空間（５９）を形成し、前記折り曲げ部位（５６）の反対側にある各内壁（５５）の前記他方の終端（５７）が前記選別櫛（４）に結合されていること、および前記装置の動作位置において、各区画（５０ａ，５０ｂ）の前記層状部分が終端動作位置まで展開されることにより各層状部分が完全に展開されて、各々の長さが前記外壁（５４）と前記内壁（５５）の長さの和に等しい２枚の壁および前記２枚の壁の間に生じた前記中央空間（５９）により前記容器（５）が形成されていることを特徴とする、請求項１または２に記載の装置（１）。
【請求項５】
少なくとも１個の区画（５０，５０ａ，５０ｂ）が、前記外壁（５４）、前記内壁（５５）および前記折り曲げ部位（５６）に沿った前記両壁の前記接合部位の間に形成された前記空間内の毛髪を染色または脱色する少なくとも１種類の液体または糊状の薬剤を含むことを特徴とする、請求項２〜４のいずれか１項に記載の装置（１）。
【請求項６】
各区画（５０ａ，５０ｂ）が、前記外壁（５４）、前記内壁（５５）および前記折り曲げ部位（５６）の間に形成された空間に異なる前記液体または糊状の薬剤（３）を含んでいて、他方の区画の前記薬剤（３）と接触したならば反応して前記容器（５）内の前記櫛（４）により選別された前記房（２）を染色または脱色させることを特徴とする、請求項４または５に記載の装置（１）。
【請求項７】
前記選別櫛（４）が、基本的に平坦な部分（４２）により形成されていて突起（４３）および鉤（４４）状の歯の組が自由端に設けられたヘッド部（４１）と、前記ヘッド部（４１）から延在する柄状の細長部分（４５）を含んでいることにより、ユーザーが前記細長部分を引っ張って非動作位置から動作位置に移動させることができることを特徴とする、請求項２〜６のいずれか１項に記載の装置（１）。
【請求項８】
前記装置の非動作位置において、前記選別櫛（４）の前記ヘッド部（４１）の前記基本的に平坦な部分（４２）が、前記ヘッド部（４１）の幅方向に延在して前記歯の組が設けられた自由端から一定の距離に配置された取付部位（４７）を含んでいることにより、前記櫛（４）が前記容器（５）の前記折り曲げ部位（５６）の反対側にある各内壁（５５）の終端（５７）に結合され、前記櫛（４）が前記容器（５）の空洞または前記中央空間内（５９）に、少なくとも前記装置の非動作位置において前記容器（５）の一方の終端から突出する前記歯の組が設けられた前記ヘッド部（４１）の自由端を除いて、部分的に配置されていること、および前記ヘッド部（４１）の自由端が、前記装置の終端動作位置を含む動作位置において前記容器（５）の前記中央空間（５９）に配置されていることを特徴とする、請求項７に記載の装置（１）。
【請求項９】
各区画（５０，５０ａ，５０ｂ）の前記内壁（５５）には、前記折り曲げ部位（５６）の前記反対側の終端（５７）に接着ストリップが設けられていることにより、前記区画（５０ａ，５０ｂ）が前記選別櫛（４）に着脱自在に結合および取り付けがなされることを特徴とする、請求項８に記載の装置（１）。
【請求項１０】
１個または複数の前記折り曲げ部位（５６）の反対側にある前記容器（５）の終端の漏れ防止密閉に適し、且つ前記房（２）を含む毛髪の部分のうち頭皮に隣接する部位に前記装置を着脱自在に固定するのに適した２個の顎部（６１，６２）を備えて前記容器（５）に結合された密閉保持手段（６）を含むこと、および前記装置の非動作位置において、前記櫛（４）の前記ヘッド部（４１）の自由端の歯の組が前記２個の顎部（６１，６２）の外側に配置されていることを特徴とする、請求項７〜９のいずれか１項に記載の装置（１）。
【請求項１１】
前記密閉保持手段（６）が、前記２個の顎部（６１，６２）を対向配置するための密閉手段（６３，６４）を含み、前記顎部（６１，６２）の遠位端が互いに対向して前記２個の顎部（６１，６２）の間に挿入された頭皮に近い毛髪の部位または他の任意の要素を確実に把持すると同時に、前記折り曲げ部位（５６）の反対側にある前記容器（５）の終端を漏れ防止密閉をすべく構成されていることを特徴とする、請求項１０に記載の装置（１）。
【請求項１２】
各区画（５０，５０ａ，５０ｂ）の前記外壁（５４）には、前記折り曲げ部位（５６）の前記反対側の終端（５７）に接着ストリップ（９２）が設けられていることにより、前記区画（５０，５０ａ，５０ｂ）が前記顎部（６１，６２）の少なくとも１個に着脱自在に結合および取り付け可能であることを特徴とする、請求項１０または１１に記載の装置（１）。
【請求項１３】
各区画（５０，５０ａ，５０ｂ）の各内壁（５５）および各外壁（５４）が、前記装置（１）の非動作位置および動作位置の両方において前記液体または糊状の薬剤（３）と接触している、および／または接触することを意図された少なくとも１個の内面、および前記内面の反対側にある少なくとも１個の外面を含み、前記内面が吸収性の不織布材料で作られ、前記外面が不浸透性の層を含んでいるため、前記容器（５）を形成する壁のいずれをも前記薬剤（３）が透過しないことを特徴とする、請求項３または４に記載の、または請求項５〜１２が請求項３または４に依存する場合はそのいずれか１項に記載の装置（１）。
【請求項１４】
各外壁（５４）の側縁（９６）および各内壁（５５）の側縁（９５）に、前記容器内で着脱可能に側面を密閉する感圧接着剤が塗布されていることにより、非動作位置において、外壁（５４）の２個の側縁（９６）が内壁（５５）の各々の側縁（９５）に着脱自在に取り付けられるに従い区画（５０ａ，５０ｂ）の各々が横方向に密閉され、前記取り付けは、各区画（５０ａ，５０ｂ）の層状構造をなす部分が動作位置において徐々に展開されるにつれて徐々に取り外すことができ、徐々に展開されて終端動作位置に到達したならば、一方の容器（５０ａ）の外壁（５４）の側縁（９６）および内壁（５５）の側縁（９５）を他方の容器（５０ｂ）の外壁（５４）の側縁（９６）および内壁（５５）の側縁（９５）に各々取り付けられた状態になり得ることを特徴とする、請求項４に記載の、および請求項５〜１３が請求項４に依存する場合はそのいずれか１項に記載の装置（１）。
【請求項１５】
少なくとも１種類の液体または糊状の薬剤（３）を塗布することにより毛髪の複数の房（２）を選択的に脱色または染色する装置（１）で用いるべく構成された平坦構造を有する区画（５０ａ，５０ｂ）の補給部材であって、前記区画（５０ａ，５０ｂ）が、前記区画が互いに対向する外壁（５４）および内壁（５５）により形成され、折り曲げ部位（５６）により少なくとも自身の下端で接合されるように折り曲げられた吸収性の不織布材で作られた層状部分を有する構造により形成されていて、前記内壁（５５）および前記外壁（５４）が各々、選別櫛（４）および前記装置に設けられた密閉保持手段（６）の顎部（６１，６２）の一方への着脱可能な結合に適した各接着ストリップ（９１，９２）を前記折り曲げ部位（５６）の反対側の終端（５７）に備えていて、前記接着ストリップ（９１，９２）が、接着面を露出させるべく取り外し可能な少なくとも１個の保護層（９３，９４）により覆われ、前記内壁（５５）および前記外壁（５４）の側縁（９５，９６）に感圧接着剤が塗布されていて、前記外壁（５４）、前記内壁（５５）および前記折り曲げ部位（５６）により区切られた空間に、請求項４および９に記載の、または請求項１０〜１４が請求項４および９に依存する場合はそのいずれか１項に記載の装置（１）と組み合せて、前記房（２）を染色または脱色する前記液体または糊状の薬剤（３）を含んでいることを特徴とする補給部材。
【請求項１６】
少なくとも１種類の液体または糊状の薬剤（３）を塗布することにより、毛髪の複数の房（２）を選択的に脱色または染色する方法であって、最初に施術対象の前記房（２）を含む毛髪の部分を普通の櫛で梳いて毛髪の他の部分から分離し、前記櫛で梳いた部分を頭皮の反対側の終端において一方の手で保持し、以下のステップ、すなわち
ａ）毛髪を染色または脱色する前記液体または糊状の薬剤（３）が収められた容器（５）の各区画（５０，５０ａ，５０ｂ）を備えた請求項１０または１１のいずれか１項に記載の装置（１）を他方の手で掴むステップと、
ｂ）選別櫛（４）のヘッド部（４１）の基本的に平坦な部分（４２）の自由端に設けられた歯の組を、前記他方の手で引っ張られた毛髪の部分に、頭皮から１〜５ｃｍの距離まで食い込ませるステップと、
ｃ）前記毛髪の部分を解放するステップと、
ｄ）ステップａ）で用いた手で前記選別櫛（４）の柄状の細長部分（４５）の自由端を保持して、前記ヘッド部（４１）の歯の組が２個の顎部（６１，６２）間の空間を通って前記容器（５）に入るまで頭皮から引き離し、この時点で前記施術対象の房（２）が前記２個の顎部（６１，６２）の間で把持されるように、対向配置された前記顎部（６１，６２）を閉じさせるステップと、
ｅ）上述のステップと同時に、密閉保持手段（６）を頭皮の方に移動させて、前記密閉保持手段（６）が、前記施術対象の房（２）を含む毛髪の部分の先頭部分を形成する頭皮に隣接する部分にあてがって確実に保持されるように、前記顎部（６１，６２）を閉じさせるステップと、
ｆ）ステップｄ）で用いた手で、前記柄状の細長部分（４５）の自由端を同じ方向に、前記容器（５）の平坦な構造が完全に展開される前記装置（１）の終端動作位置まで引っ張り続けて、毛髪の房（２）の選別された部分を前記選別櫛（４）の鉤（４４）状の歯により前記容器（５）の内部空間（５９）内へ引き込んで前記液体または糊状の薬剤（３）と接触させるステップと、
ｇ）前記選別された房（２）の部分と接触している前記液体または糊状の薬剤（３）が、前記部分の染色または脱色が生じるまで一定時間作用させるステップと、
ｈ）前記２個の顎部（６１，６２）が分離して前記毛髪の部分から前記装置（１）が解放されるまで、前記密閉保持手段（６）の前記２個の顎部（６１，６２）を開くステップとを含んでいることを特徴とする方法。
【請求項１７】
前記装置（１）が、請求項１４に記載の装置であること、およびステップｆ）とステップｇ）の間で、展開された内壁（５５）の側縁（９５，９６）および一方の区画（５０ａ）の展開された外壁（５４）が、他方区画（５０ｂ）の前記展開された内壁（５５）および前記展開された外壁（５４）の側縁に押し付けられて前記容器（５）を終端動作位置において横方向に密閉することを特徴とする、請求項１６に記載の方法。
【発明の詳細な説明】
【技術分野】
【０００１】
本発明は、毛髪にハイライトを施す、すなわち少なくとも１種類の液体または糊状の薬剤を塗布することにより毛髪の複数の房を選択的に脱色または染色する装置に関する。本装置は、毛髪の一部から脱色または染色したい房を選別する選別櫛、および選別された毛髪の房に塗布する１または複数種類の液体または糊状の薬剤を内部に収容するのに適した少なくとも１個の区画を備えた容器を含んでいる。本発明の他の態様によれば、上述の装置を用いて毛髪を染色、脱色およびハイライトを施す方法、並びに本装置に液体または糊状の薬剤を補充する補給部材も開示している。
【背景技術】
【０００２】
毛髪にハイライトを施すことは、人が自分の毛髪を派手にしたり目立たせたい場合に、特定の色を他の色よりも強調してヘアスタイルをより格好良く且つ魅力的に見せるために美容院で最も一般的に行われている施術の一つである。これは基本的に、所望の通りに強調または染色すべく所望の部位で広げられた房に分けられた髪に脱色剤または染色剤を直接塗布するものである。
【０００３】
他人に見られる毛髪の最も外側の層の房だけを染色または脱色することが一般に適当である。にもかかわらず、液体の染色剤または脱色剤は毛髪全体に浸透する傾向があるため、施術対象でない下層の髪までこれらの薬剤が達することが往々にしてある。
【０００４】
従って、当該施術は原理的には簡単に見えるが、プロのヘアスタイリストおよび、他人または自身の毛髪にハイライトを施そうとした経験がある者は、真にプロレベルの出来栄えを得るには当該技術に精通している必要があることが分かっている。
【０００５】
毛髪にハイライトを施す最も良く知られた３種類の技術は、櫛入れハイライト、キャップハイライト、およびホイルハイライトである。どの技術を選択するかは所望のハイライトの厚さ、ハイライトの分布、および毛髪の長さに依存し、当該技術には各々長所と短所がある。
【０００６】
櫛入れハイライトは、極めて微細且つ表面的なハイライトを施すために用いる。この目的のために通常、染色剤またはハイライト用液体を櫛の先端に塗布し、次いで当該櫛を複数の房に一度に一房ずつ通して行き、再び毛髪を洗浄するまでに液体が作用する時間を与える。この方法では、個々の房が液体で覆われている場合、当該液体の一部が染色または脱色したくない隣接する毛髪の部分へ容易に転移できるため、余り多くのハイライトを施すことができない。
【０００７】
櫛入れハイライトを施す作業を容易にすべく、ヘアスタイリストが異なる層に応じて毛髪の房を束ねることにより整える毛髪にハイライトを施すべく組み合わされた染色剤の塗布装置およびツールを記述した実用新案第ＥＳ１０３２７２−Ｕ号に開示されているようないくつかのツールが開示されている。当該装置は、染色剤を塗布する本体および毛髪にハイライトを施すべく前者と組み合わせたツールを含んでいる。
【０００８】
装置の別の例として特許第ＥＳ２１７１９１４−Ｔ３号に開示されているものがあり、当該装置は一方の側から複数の平行な突起が延在するロッドを含む櫛からなり、当該ロッドは中空であって、各々が２個の突起間の接合部に設けられた、毛髪に塗布する粘性液体の貯蔵槽、および一方の側だけが横方向に開いた流体収容用の小さい液溜めと連通している。各々の流体収容用の小さい液溜めは、櫛のロッドから流体が補給されるロッドの穴により画定されている。櫛の突起は、当該櫛の遠位端では広い間隔、近位端では狭い間隔で複数個設けられていて、広い方の間隔で施術対象である毛髪の房を挟むことができ、狭い方の間隔は各々流体が入った小さい液溜めと連通している。
【０００９】
キャップハイライトでは通常、表面全体に均一に分布する一連の小穴を備えたプラスチックキャップを配置する前に毛髪の前から後ろにブラシをかけて、当該キャップを顎部の下に結び付けて頭に固定する。ヘアスタイリストは、各々の穴を通して鉤針編み用の針を差し込み、毛髪の房を引っ掛けて当該穴を通して引き出す。ハイライトは、引っ掛けられる毛髪の量に応じて多少嵩張る。このように引き出されてキャップの下に残る毛髪の他の部分から分離された毛髪の房は次いで脱色剤または染色剤を用いて処理され、当該薬剤は色変化の効果が発現するまで作用し続ける。所望のハイライト階調に応じて適当な期間が経過した後、キャップを取り外して脱色剤を除去すべく頭全体を洗浄する。漂白または脱色は、適宜、色素を添加することにより完了する。
【００１０】
当該技術では最初に毛髪の前から後ろへブラシを掛ける必要があるため、キャップの下にある相当量の毛髪によりキャップを頭皮から浮き上がって毛根まで施術を行うことが困難になり、毛髪が数ミリメートルにわたり未施術のまま乱れた状態になる。一方、上部の毛髪の下側の毛髪は頭の異なる部位からのものであり得る上に、ヘアスタイリストがキャップを通して見ることができないため、どの部分の毛髪が施術を受けているかを正確に制御することが困難である。考慮すべき別の短所として、施術時間が過ぎた後でキャップを取り外す際に顧客が感じる不快感およびある種の苦痛に加え、頭皮および同じくキャップに覆われていてヘアスタイリストからは見えない耳を囲む部位を傷つけることなく鉤針編み用の針を差し込むには豊富な経験および細心の注意を要する点が挙げられる。
【００１１】
ホイル技術は、施術を受ける毛髪の下側にアルミホイルのストリップを接着するステップを含んでいる。最初に、施術または染色される毛髪の部分を他の部分から選り分けて櫛を入れ、針の通路の上方に残された微細な房を選別する目的で、例えば、鉤針編み用の針または微細且つ細長い端を有するためにツールを上下に連続的に動かす等、公知の技術を適用すれば、これらが施術を受ける房となる。選り分けた部分から選別された複数の微細な房を一方の手で引っ張りながら、その下側でアルミホイルのストリップを頭皮にあてがって保持することにより、ストリップの端が選別された房の根元になるべく近づけられていることを確認する。次いで、脱色剤、染色剤、または毛髪の色を変えるのに適した他の薬剤を、上述のように分離されてホイルのストリップに置かれた複数の房にブラシで塗布する。その後、アルミホイルのストリップの自由下端を、施術を受ける毛髪の次の部分から離れるまで、頭の方へ折り曲げるかまたは丸める。ストリップの側面も内側へ折り曲げて、施術を受ける房を完全に包み込むラッピング材またはパッキング材を形成し、必要な時間だけその状態のままにしておき、その後でラッピング材を除去する。
【００１２】
脱白または染色用の薬剤を塗布しながら前記薬剤が作用する期間、ホイルのストリップまたはラッピング材を所定の位置に保持し続けることは容易ではなく、且つ極めて退屈である。施術を受けている客が少しでも頭を動かしたり、またはヘアスタイリスト側の何らかの不注意により、不要な部位に薬剤の飛沫が跳ねたり斑点または脱色が生じる恐れがある。更に、脱色工程を加速すべく頭に多くのラッピング材を巻かれた客がドライヤーを被せられている場合、少しでも動けばラッピング材のいくつかが滑って所定位置から外れて、所望の効果を台無しにするため、簡単ではない。別の短所として、房がホイルで包まれているため、ヘアスタイリスト、待ち時間の間、どの程度脱色されたかを調べるために部分的にラッピング材を外さなければならない点が挙げられる。このように、当該工程は長くて退屈であり、ヘアスタイリストが通常、施術の終り頃には疲労しており、薬剤の塗布に先立ち毛髪を整えている際にハイライトの厚さを恐らくは無意識に変えてしまいがちであるため、全てのハイライトの均一性が保証されるとは限らない。
【先行技術文献】
【特許文献】
【００１３】
【特許文献１】スペイン実用新案第ＥＳ１０３２７２−Ｕ号明細書
【特許文献２】スペイン特許第ＥＳ２１７１９１４−Ｔ３号明細書
【発明の概要】
【発明が解決しようとする課題】
【００１４】
従って、毛髪にハイライトを簡単且つ迅速に施すことを可能にする装置を用いて、ヘアスタイリストの技能レベルに依らず満足な結果が得られるようにすることが望ましい。
【課題を解決するための手段】
【００１５】
考慮すべき課題の解決策を提供する目的で、少なくとも１種類の液体または糊状の薬剤を塗布することにより毛髪の複数の房を選択的に脱色または染色する装置を開示する。本発明の目的である装置は、毛髪の一部から脱色または染色したい房を選別するための選別櫛と、液体または糊状の薬剤を内部に収容可能な少なくとも１個の区画を備えた容器とを含んでいる。
【００１６】
脱色または染色用の装置は基本的に、選別櫛が容器内に部分的に導入されていて同容器の内側に沿って移動可能であり、当該櫛が当該容器に結合されていることにより、本装置の動作位置において選別櫛の移動が生じることで、当該櫛により選別された房のより長い部分が徐々に当該容器内に導入されるのと同時に、当該区画の内側が徐々に開いて当該容器内に導入された房の部分と連通し、前記部分を当該１または複数種類の液体または糊状の薬剤に対して露出させることを特徴とする。
【００１７】
本発明の特徴によれば、容器は、装置の非動作位置において全長の半分に折り曲げられた平坦構造を有し、実際の構造の全長の半分に相当する部分が当該構造内に導入されていて、容器は前記非動作位置において、外壁および内壁により形成される少なくとも１個の二重壁と、内壁により区切られていて内部に選別櫛が部分的に導入される中央空間とを含む本体を形成し、前記本体は、平坦構造の折り曲げ部位に合致する本体の一方の終点において外壁、内壁および当該両壁の接合部位の間で区切られた空間により形成される少なくとも１個の区画を備えている。装置の動作位置において、本体の内壁が選別櫛により平坦構造の折り曲げ部位の方へ引きずられることにより、前記内壁が外壁に対して移動して長さが短くなるため、当該平坦構造が終端動作位置まで展開されることにより当該平坦構造が完全に展開されて、非動作位置における外壁の長さに内壁の長さを加えた長さに等しい長さを有する単一の壁が生じる。
【００１８】
本装置の第１の実施形態によれば、容器は、本装置の非動作位置において当該装置の全長の半分に折り曲げられて配置された平坦な管状スリーブ構造を有し、展開状態におけるスリーブの全長の半分に等しい長さを有するスリーブの一部が、折り曲げられた状態で管状ケースの空洞内に導入されていて、容器が前記非動作位置において、管状スリーブの折り曲げ部位により各々の両終端の一方で接合された外壁および内壁により形成された二重壁構造の中空管状本体を形成し、内壁が中央空間を形成し、折り曲げ部位の反対側にある前記内壁の他方の終端が選別櫛に結合されている。本装置の動作位置において、管状スリーブの展開は、当該ケースが完全に展開されて、外壁と当該壁の長さの和に等しい長さを有する単一の周囲壁、および前記周囲壁で仕切られた中央空間が生じる終端動作位置まで行われる。
【００１９】
本装置の事実上好適な実施形態である第２の実施形態によれば、本装置の非動作位置において容器は、選別櫛に結合されていて選別櫛に関して対称に配置された平坦構造を有する２個の区画、および当該２個の区画の間に存在して内部に櫛が部分的に導入された状態で配置された中央空間を含み、各区画は、互いに対向していて折り曲げ部位により各々の両終端の一方で接合された外壁および内壁により各区画が形成されるように層状構造をなす折り曲げ部位により形成され、２枚の内壁が中央空間を形成し、折り曲げ部位の反対側にある各内壁の他方の終端が選別櫛に結合されている。本装置の動作位置において、各区画の層状部分が終端動作位置まで展開されることにより各層状部分が完全に展開されて、各々の長さが外壁と内壁の長さの和に等しい２枚の壁および前記２枚の壁の間に生じた中央空間により当該容器が形成されている。
【００２０】
本発明の別の特徴によれば、少なくとも１個の区画が、外壁、内壁および折り曲げ部位に沿った当該両壁の接合部位の間に形成された空間内の毛髪を染色または脱色する少なくとも１種類の液体または糊状の薬剤を含んでいる。当該区画の前記空間には好適には既に薬剤が充填されているため、ユーザーは同区画を使用する都度、消耗品の如く廃棄することができる。当該区画には少量の薬剤が刷毛塗りまたは薄い層状に含浸または収納されている。
【００２１】
本装置の第２の実施形態によれば、各区画は、外壁、内壁および折り曲げ部位の間に形成された空間に異なる液体または糊状の薬剤を含んでいて、他方の区画の薬剤と接触したならば反応して容器内の櫛により選別された房を染色または脱色させる。この場合も、上述のように、区画における薬剤の刷毛塗りまたは含浸は、染色または脱色を行うのに充分な量である。
【００２２】
本発明の別の特徴によれば、選別櫛は、基本的に平坦な部分により形成されていて突起および鉤状の歯の組が自由端に設けられたヘッド部と、当該ヘッド部から延在する柄状の細長部分を含んでいることにより、ユーザーが当該細長部分を引っ張って本装置を非動作位置から動作位置に移動させることができる。選別櫛のヘッド部は容器とほぼ同じ幅であるため、前記ヘッド部は容器を形成する平坦構造内に導入するのに適している。オプションとして、櫛の柄はまた、容器の幅とほぼ同じ幅であってよい。
【００２３】
本発明の別の特徴によれば、本装置の非動作位置において、選別櫛のヘッド部の基本的に平坦な部分は、ヘッド部の幅方向に延在して歯の組が設けられた自由端から一定の距離に配置された取付部位を含んでいることにより、当該櫛は容器の折り曲げ部位の反対側にある各内壁の終端に結合され、当該櫛は容器の空洞または中央空間内に、少なくとも本装置の非動作位置において容器の一方の終端から突出する歯の組が設けられたヘッド部の自由端を除いて、部分的に配置されている。対照的に、ヘッド部の自由端は、本装置の終端動作位置を含む動作位置において容器の中央空間に配置されている。
【００２４】
本装置の第２の実施形態によれば、各区画の内壁には、折り曲げ部位の反対側の終端に接着ストリップが設けられていることにより、当該区画は選別櫛に着脱自在に結合および取り付け可能である。
【００２５】
本発明の別の特徴によれば、本発明の装置は、１個または複数の折り曲げ部位の反対側にある容器の終端の漏れ防止密閉に適し、且つ房を含む毛髪の部分のうち頭皮に隣接する部位に本装置を着脱自在に固定するのに適した２個の顎部を備えて容器に結合された密閉保持手段を含んでいる。更に、本装置の非動作位置において、櫛のヘッド部の自由端の歯の組は当該２個の顎部の外側に配置されている。
【００２６】
本発明の別の特徴によれば、密閉保持手段は、２個の顎部を対向配置するための密閉手段を含み、顎部の遠位端が互いに対向して２個の顎部の間に挿入された頭皮に近い毛髪の部位または他の任意の要素を確実に把持すると同時に、折り曲げ部位の反対側にある容器の終端を漏れ防止密閉をすべく構成されている。
【００２７】
本発明の別の特徴によれば、各区画の外壁には、折り曲げ部位の反対側の終端に接着ストリップが設けられていることにより、当該区画は顎部の少なくとも１個に着脱自在に結合および取り付け可能である。
【００２８】
本発明の別の特徴によれば、各区画の各内壁および各外壁は、本装置の非動作位置および動作位置の両方において液体または糊状の薬剤と接触している、および／または接触することを意図された少なくとも１個の内面、および当該内面の反対側にある少なくとも１個の外面を含み、当該内面は吸収性の不織布材料で作られ、当該外面は不浸透性の層を含んでいるため、容器を形成する壁のいずれを薬剤がも透過しない。
【００２９】
本発明の好適な実施形態の別の特徴によれば、各外壁の側縁および各内壁の側縁に、容器内で着脱可能に側面を密閉する感圧接着剤が塗布されていることにより、非動作位置において、外壁の２個の側縁が内壁の各々の側縁に着脱自在に取り付けられるに従い区画の各々が横方向に密閉される。前記取り付けは、各区画の層状構造をなす部分が動作位置において徐々に展開されるにつれて徐々に取り外すことができる。更に、徐々に展開されて終端動作位置に到達したならば、一方の容器の外壁の側縁および内壁の側縁を他方の容器の外壁の側縁および内壁の側縁に各々取り付けて、選別された房に適用された薬剤を頭皮から隔離することができる。
【００３０】
本発明の第２の態様によれば、上述の好適な実施形態による装置と組み合せて、少なくとも１種類の液体または糊状の薬剤を塗布することにより毛髪の複数の房を選択的に脱色または染色する装置で用いるべく構成された平坦構造を有する区画の補給部材を開示する。
【００３１】
前記補充用区画は、区画が互いに対向する外壁および内壁により形成され、折り曲げ部位により少なくとも自身の下端で接合されるように折り曲げられた吸収性の不織布材で作られた層状部分を有する構造により形成されている。内壁および外壁は各々、選別櫛および装置に設けられた密閉保持手段の一方の顎部への着脱可能な結合に適した各接着ストリップを、折り曲げ部位の反対側の終端に備えている。接着ストリップは、接着面を露出させるべく取り外し可能な少なくとも１個の保護層により覆われている。内壁および外壁の側縁に感圧接着剤が塗布されている。外壁、内壁および折り曲げ部位により区切られた空間は、上述の好適な実施形態の装置と同様の装置と組み合せて、房を染色または脱色する液体または糊状の薬剤を含んでいる。
【００３２】
本発明の第３の態様によれば、少なくとも１種類の液体または糊状の薬剤を塗布することにより、毛髪の複数の房を選択的に脱色または染色する方法を開示する。第１のステップは、施術対象の房を含む毛髪の部分を普通の櫛で梳き、選別された部分を毛髪の他の部分から分離して、櫛で梳いた部分を頭皮の反対側の終端において一方の手で保持するステップを含んでいる。
【００３３】
本方法は基本的に、以下のステップ、すなわち
ａ）毛髪を染色または脱色する液体または糊状の薬剤が収められた容器の各区画を備えた上述の装置を他方の手で掴むステップと、
ｂ）選別櫛のヘッド部の基本的に平坦な部分の自由端に設けられた歯の組を、他方の手で引っ張られた毛髪の部分に、頭皮から１〜５ｃｍの距離まで食い込ませるステップと、
ｃ）当該毛髪の部分を解放するステップと、
ｄ）ステップａ）で用いた手で選別櫛の柄状の細長部分の自由端を保持して、ヘッド部の歯の組が２個の顎部間の空間を通って容器に入るまで頭皮から引き離し、この時点で施術対象の房が２個の顎部の間で把持されるように、対向配置された顎部を閉じさせるステップと、
ｅ）上述のステップと同時に、密閉保持手段を頭皮の方に移動させて、密閉保持手段が、施術対象の房を含む毛髪の部分の先頭部分を形成する頭皮に隣接する部分にあてがって確実に保持されるように、顎部を閉じさせるステップと、
ｆ）ステップｄ）で用いた手で、柄状の細長部分の自由端を同じ方向に、容器の平坦な構造が完全に展開される装置の終端動作位置まで引っ張り続けて、毛髪の房の選別された部分を選別櫛の鉤状の歯により容器の内部空間内へ引き込んで液体または糊状の薬剤と接触させるステップと、
ｇ）選別された房の部分と接触している液体または糊状の薬剤が、当該部分の染色または脱色が生じるまで一定時間作用させるステップと、
ｈ）２個の顎部が分離して当該毛髪の部分から装置が解放されるまで、密閉保持手段の２個の顎部を開くステップとを含んでいることを特徴とする。
【００３４】
本方法の別の特徴によれば、ステップｆ）とステップｇ）との間で容器を終端動作位置で横方向に密閉すべく一方の区画の開いた内壁および開いた外壁の側縁が、他方の区画の開いた内壁および開いた外壁の側縁に押し付けられている。
【図面の簡単な説明】
【００３５】
本発明の脱色または染色を目的とする装置の２個の実施形態を添付図面の非限定的な例として示す。
【００３６】
【図１】本発明の目的装置の第１実施形態の非動作位置における透視図である。
【図２】選別櫛および容器により形成された組み立て部材に関する密閉保持手段の組み立て位置を示す、図１の装置１の部分分解図である。
【図３】図１の選別櫛の立面図である。
【図４】図１の密閉保持手段の透視図である。
【図５ａ】図４の密閉保持手段の顎部に設けられた歯のいくつかの詳細図である。
【図５ｂ】図４の密閉保持手段の顎部に設けられた歯のいくつかの詳細図である。
【図５ｃ】図４の密閉保持手段が得られる平坦な層状部分の平面図である。
【図６】図１の装置の非動作位置における容器の形成を示す模式図である。
【図７】図１の装置が動作位置に移る直前の当該装置の容器の模式図である。
【図８】２個の半区画を示す図７の容器の平面図である。
【図９】図２の容器および選別櫛により形成された組み立て部材の模式的平面図である。
【図１０】装置の動作位置における図７の容器の模式図である。
【図１１ａ】容器の管状スリーブが徐々に展開されて液体または糊状の薬剤が非動作位置から動作位置まで移動する様子を示す模式図である。
【図１１ｂ】容器の管状スリーブが徐々に展開されて液体または糊状の薬剤が非動作位置から動作位置まで移動する様子を示す模式図である。
【図１１ｃ】容器の管状スリーブが徐々に展開されて液体または糊状の薬剤が非動作位置から動作位置まで移動する様子を示す模式図である。
【図１１ｄ】容器の管状スリーブが徐々に展開されて液体または糊状の薬剤が非動作位置から動作位置まで移動する様子を示す模式図である。
【図１１ｅ】容器の管状スリーブが徐々に展開されて液体または糊状の薬剤が非動作位置から動作位置まで移動する様子を示す模式図である。
【図１１ｆ】容器の管状スリーブが徐々に展開されて液体または糊状の薬剤が非動作位置から動作位置まで移動する様子を示す模式図である。
【図１２】図１の装置を各々動作位置、中間動作位置、および終端動作位置において示す説明図である。
【図１３】図１の装置を各々動作位置、中間動作位置、および終端動作位置において示す説明図である。
【図１４】図１の装置を各々動作位置、中間動作位置、および終端動作位置において示す説明図である。
【図１５】図１の装置を用いて複数の房を選択的に脱色または染色する方法のステップを示す説明図である。
【図１６】図１の装置を用いて複数の房を選択的に脱色または染色する方法のステップを示す説明図である。
【図１７】図１の装置を用いて複数の房を選択的に脱色または染色する方法のステップを示す説明図である。
【図１８】図１の装置を用いて複数の房を選択的に脱色または染色する方法のステップを示す説明図である。
【図１９】図１の装置を用いて複数の房を選択的に脱色または染色する方法のステップを示す説明図である。
【図２０】図１の装置を用いて複数の房を選択的に脱色または染色する方法のステップを示す説明図である。
【図２１】本発明の目的装置の第２の好適な実施形態を各々非動作位置、中間動作位置、および終端動作位置において示す透視図である。
【図２２】本発明の目的装置の第２の好適な実施形態を各々非動作位置、中間動作位置、および終端動作位置において示す透視図である。
【図２３】本発明の目的装置の第２の好適な実施形態を各々非動作位置、中間動作位置、および終端動作位置において示す透視図である。
【図２４】図２１の装置の部分分解図である。
【図２５】図２４に示す装置を組み立てるの際の２段階前を示す説明図である。
【図２６】図２４に示す装置を組み立てるの際の２段階前を示す説明図である。
【図２７】図２１の装置の容器の区画の１個を形成する段階を示す。
【図２８】図２１の装置の容器の区画の１個を形成する段階を示す。
【図２９】図２１の装置の容器の区画の１個を形成する段階を示す。
【図３０】図２１の装置の容器の区画の１個を形成する段階を示す。
【図３１】図２１の装置の容器の区画の１個を形成する段階を示す。
【発明を実施するための形態】
【実施例１】
【００３７】
図１、２、および図２１〜２３に、液体または糊状の薬剤３を塗布することにより毛髪の複数の房２を選択的に脱色または染色する装置１を示す。これらの図に見られるように、装置１は３個の主要な構成要素、施術対象すなわち脱色または染色したい房２を選別するための選別櫛４、平坦構造として構成されていて液体または糊状の薬剤３を内部に収容可能な少なくとも１個の区画５０，５０ａ，５０ｂを備えた容器５、および以下に詳述するように容器５の終端を頭皮に近い毛髪の部位に固定可能にすべく形状がヘアクリップの形状に似ている２個の顎部６１，６２を備えた密閉保持手段６を含んでいる。上述のように、容器５は、平坦な管状スリーブ（図１、２参照）の形状であってよく、あるいは各々が折り曲げられた層状部分（図２７〜３１参照）からなる２個の区画５０ａ，５０ｂ（図２１〜２３参照）と、前記区画５０ａ，５０ｂを分離する中央空間５９とにより形成されていてよい。
【００３８】
図３に独立に示す選別櫛４は、部分的に容器５内に導入され、図１２〜１４および２１〜２３に見られるように、当該容器内部で当該容器に沿って移動可能である。選別櫛４は容器５に結合されているため、例えば図１３、２０に示す装置１の動作位置において選別櫛４の移動が生じることで、櫛４により選別された房２のより長い部分が容器５内へ徐々に導入され、同時に、各区画５０，５０ａ，５０ｂの内側が徐々に開いて導入された房２の部分と連通し、前記部分を液体または糊状の薬剤３に対して露出させる。
【００３９】
図３、２４に見られるように、選別櫛４は、基本的に平坦な部分４２により形成されていて鉤４４状の他方の歯と交互に配置された突起４３状の歯の組が自由端に設けられたヘッド部４１を含んでいる。ヘッド部４１に続いて自由端４６で握持するのに適した柄状の細長い第４５部が設けられている。図示するケースにおいて、組み立て部材の長さは、基本的に平坦な部分４２により形成されていて、図１４、２０および２３に示すケースのように構造が完全に展開されたときの長さが全長であることを考慮すれば、柄状の細長部分４５は容器５を形成する平坦構造（図３の管状スリーブ）の全長の半分より大きい。図６は特に、容器５を管状スリーブの形状で模式的に示しており、上述の全長は実線部分に破線部分を加えた長さである。これは、前記下端が櫛４の自由端４６に最も近いことを考慮して、容器５の下端から突出している自由端４６を引っ張ることにより下向きに選別櫛４を移動させられることを意味する。
【００４０】
鉤４４状の歯は鉤型の銛に類似しており、当該形状により毛髪に正確に刺し込まれて（図１７参照）再び外れることがなく、選別櫛４が毛髪の一部に通された際に、施術のために選別された複数の房２が効果的に引っ掛かる。突起４３状の歯は滑らかな針の形状をなし、毛髪に刺し込まれて、毛髪を一時的に選り分け、形を崩さずに毛髪を梳き出す機能を有している。
【００４１】
以後の施術のために選別された毛髪の各房２は、鉤４４および突起４３の上端同士の間に当該順序で生じている空間を通って入り、当該空間に収容される。上述の空間を狭めている鉤４４のオウムの嘴状の形状により、房２に軽く触れながら当該房が入って来るが、その後は出られないようにできる。図に見られるように、突起４３の一方は真っ直ぐであるのに対し、反対側は毛髪を鉤４４と突起４３の間にあるオウムの嘴状の尖端を囲む筐体へ導くべく湾曲している。更に、前記筐体は突起４３側の湾曲の終端において顕著且つ中心からずれた角度をなす。厳密には、当該角度は毛髪を正しく中心に合わせて、装置１を通常使用する間、毛髪は次いで鉤４４により引き込まれ、再び出て来ることがない。オウムの嘴状終端の先端と筐体の底部における顕著な角度との間に生じている空間は、選別された房２の幅だけでなく、選別櫛４が毛髪に刺し込まれる深さを決定する。
【００４２】
毛髪の一部は、突起４３と鉤４４の上端同士に当該順序で生じている空間を通って入るが、内側で引っ掛からないため、ハイライトを施している人物が選別櫛４の柄４５の自由端４６を手前に引いても、その引っ張りの影響を受けない。
【００４３】
図３の選別櫛４において、柄状の細長部分４５は、自由端４６で収束する３本のバンドにより形成されているが、例えば３個の分岐が自由端４６で終端する前に単一の細長い区間に収束する図１２〜１４に示す構成、または単一の平坦な移行区間により形成された図２４の構成等、他の構成であってもよい。重要な点は、装置１を正常に操作する間、柄状の細長部分４５を用いてヘッド部４１を容器５の内部に沿って移動させられることである。自由端４６は円形で示され、好適にはハイライトを施している人物が手前に引っ張った際に手からすっぽ抜けないように滑り止め材料で作られている。櫛４のヘッド部４１は好適には、柄４５が房２を引っ張った際に歪まないように、柄４５のプラスチックよりも柔らかくて撓みやすいプラスチックで作られている。
【００４４】
取付部位４７は、図３に示すように、歯の組の下側におけるヘッド部４１の平坦部分４２の幅方向に画定され、当該部位において容器５の終端５７が密閉される。図２４の櫛４において、取付部位４７は接着ストリップ９１に取り付けられる櫛４の部分となる。
【００４５】
図６に模式的に示すように、図１の装置１の実施形態に対応する容器５は管状スリーブ構造を有し、当該管状スリーブ構造は装置１の非動作位置（図１、１１ａ、１２および１８）においてスリーブ自体の空洞または中央空間５９に折り曲げられて導入された状態に配置されており、特にケースの全長の半分に相当する部分が導入されている。容器５は、微孔性プラスチックあるいは同様の柔軟性または特性を有する材料で製造可能であるが、好適には片側に積層されたスパンレース紙として知られる種類の吸収性を有する不織布材料で作られている。吸収性を有する不織布材料は、容器５の内壁５５および外壁５４の内面、すなわち薬剤３と直接接触する面に薬剤を含浸させて、薬剤が房２により良好に塗布されると共に、誤って容器外に漏れ出るのを防止する役割を果たす。積層の目的は、容器５の外面を不浸透にして液体または糊状の薬剤３が容器５から漏れ出るのを防止することである。実際、区画５０，５０ａまたは５０ｂに含まれる薬剤３の量は、刷毛塗り、すなわち容器５の内面が含浸されている薄い層に含まれる量と同様である。
【００４６】
図６の矢印は、スリーブの折り曲げ部位の方向を示し、スリーブは最初に展開され、次いで半分に折り曲げられて破線で示す上半分がケースの空洞内に導入された際に図１に対応する装置１の第１実施形態による非動作位置に容器５を形成する。従って、前記非動作位置において、図７に示す容器５は、二重壁構造の中空管状本体５３、空洞または中央空間５９、外壁５４および内壁５５により形成され、外壁５４、内壁５５、および管状スリーブの折り曲げ部位５６の区間に合致する管状本体５３の一方の終端における当該両壁の接合部位の間で区切られた空間により形成された少なくとも１個の区画５０を備えている。特に図１、２、９および１２に見られるように、管状本体５３の空洞または中央空間５９は選別櫛４の一部を収容する。
【００４７】
毛髪を染色または脱色する液体または糊状の薬剤３は、図１１ａの非動作位置における容器５の長手方向区間に模式的に示すように、外壁５４、内壁５５および管状ケースの折り曲げ部位５６に沿って当該両壁を取り付けるための取付部位の間に形成された空間により区切られた区画５０内に供給され、薬剤３は折り曲げ部位５６、外壁５４および内壁５５により閉じ込められる。上述のように、必要とされる薬剤３の量は刷毛塗りのように極めて少ないが、図１１には薬剤３がどのように広がり、またはどのように容器５を含浸させるかを見せる説明目的でより多くの量として示している。オプションとして、区画５０は、管状本体５３の軸方向に延在し、互いに接触したならば反応して毛髪の染色または脱色を生じさせる異なる種類の液体または糊状の薬剤３を含む図８、９に示す少なくとも２個の半区画５１，５２に分割することができる。従って、装置１の製造者は、これらの半区画５１，５２に後で毛髪の染色に用いる顔料および酸化剤を充填しておき、装置１が動作位置にあるときに混ぜ合わせることができる。
【００４８】
図１の実施形態および図２１の実施形態の両方の装置１の非動作位置において、選別櫛４の基本的に平坦な部分４２は、取付部位４７により折り曲げ部位５６の反対側の内壁５５の終端５７に結合または密閉されていて、櫛４は、装置１の非動作位置において各々が容器５の終端から突出する歯の組が設けられたヘッド部４１の自由端および柄状の細長部分４５の自由端４６を除いて、管状本体５３の空洞内に配置されている。対照的に、装置１の動作位置において（図１３、２２）および終端動作位置（図１４、２３）において、鉤４４および突起４３状の歯の組が設けられたヘッド部４１の自由端が容器５の空洞または中央空間５９内に位置している。
【００４９】
実際、図１の装置１の実施形態の動作位置において、中空管状本体５３の内壁５５は、選別櫛４により管状スリーブの折り曲げ部位５６に向かって図７の矢印の方向に引きずられて、顎部６１，６２の内側部分により折り曲げ部位５６の反対側の終端５８で密閉保持手段６に固定されたままである外壁５４に対する前記内壁５５が移動して短くなる（図１０の距離ａを参照）。ハイライトを施している人物が櫛４の柄４５を引っ張るにつれて内壁５５が選別櫛４により引きずられるため、管状スリーブの展開は、管状スリーブが完全に展開されて単一の壁が生じている図１４に示す終端動作位置まで生じる。
【００５０】
緩やかな展開およびその効果を図１１ａ〜１１ｆのシーケンスの初期段階に模式的に示しており、容器５および、非動作位置（図１１ａ）において外壁５４、内壁５５およびそれらの下側部分で前記壁を互いに接合する折り曲げ部位５６の間に当初含まれている薬剤３が占める位置だけを示す。櫛４が内壁５５を下方へ（折り曲げ部位５６の方へ）引きずるにつれて、その終端５７が下方に移動するため、あたかもゲートが開いたように薬剤３が無くなり、当該薬剤３は徐々に管状本体５３の空洞の方へ流れ、櫛４が下方に移動するにつれて少しずつ当該空洞を満たしていく。鉤４４と突起４３のペアの間に閉じ込められていた選別房２もまた、房２の更に長い部分を容器５の管状スリーブの空洞内に導きながら、櫛４の移動に伴い下方へ引きずられる（下方へとは、房２の終端へ向かって、の意味に理解される）。従って、動作位置において、選別された房２は薬剤３と接触し、一定時間後に、空洞内部の房の染色または脱色が生じる。
【００５１】
事実、場合に応じて、薬剤３を区画５０または半区画５１，５２（図９に示す）の容器５の内面に含浸させるべく塗布する糊状薬剤３の薄い層または刷毛塗りを実際に形成することを強調すべきである。
【００５２】
装置１の第３の基本構成要素は、図４、５に別々に示す密閉保持手段６であり、折り曲げ部位５６の反対側にある容器５の外壁５４の終端５８を頭皮（図１８〜２０参照）に近い毛髪の部位に着脱可能に固定する２個の顎部６１，６２を備えている。
【００５３】
図１による装置１の第１実施形態の密閉保持手段６はまた、２個の顎部６１，６２を互いに取り付けるための圧力作動式の密閉手段６３のような２個の支持面を含んでいる。正確には、折り曲げ部位５６の反対側の終端である容器５の外壁５４の終端５８は、当該支持面の内面により結合されている。
【００５４】
顎部６１，６２の遠位端は互いに対向していて、上述のように、外力が作用しないことに応じて２個の顎部６１，６２の間に挿入された頭皮に近い毛髪の部位または他の任意の要素を確実に掴むべく構成されている。
【００５５】
支持面に外部圧力が作用しておらず、且つそれらに対し充分な圧力を掛けた場合、顎部６１，６２が毛髪にあてがって保持されていれば容器５の漏れ防止密閉として機能して薬剤３が漏れ出すのを防止する。これは支持面が、外壁５４の終端５８に隣接する容器５の各終端部位に確実に結合されているからである。
【００５６】
装置１の非動作位置において、図１および１２に示すように、歯の組が設けられた選別櫛４のヘッド部４１の自由端は、２個の顎部６１，６２の外側に位置している。
【００５７】
図４の密閉保持手段６の２個の顎部６１，６２により実現される漏れ防止密閉は、装置１の非動作位置、および支持面に外部圧力が作用していない場合に密閉保持手段６が頭皮の近くに既に固定されている動作位置の両方において、２個の顎部６１，６２に片持ちタブ６５、６６状の歯の組が備えられている結果、可能である。図５ａおよび図５ｂに詳細に見られるように、タブ６５、６６の片持ち終端部は同一の顎部において相関的に前後に湾曲し、且つ両方の顎部に属する各々の対向する歯に関して逆向きに湾曲している。従って歯は、それらの片持ち遠方端の重ね合わせにより互いにぴったり合い、しかも毛髪を効果的に掴と共に、容器５の密閉性に影響を及ぼすことなく選別された房２の通過を可能にする。掴まれた毛髪を解放するには、ハイライトが適用されるならば、図４に示す側面６０を特に自分の指で押圧することにより、密閉保持手段６の側面を押圧するかまたは密閉手段６３を停止させることにより顎部６１，６２を開くだけで充分である。
【００５８】
タブ状の歯に関して、タブ６５が、終端における特定のクラスタ６７に加え、他のタブ６６よりも広いことが分かる点が特筆される。
【００５９】
タブ６５状の歯はより広く、顎部６１を顎部６２上で誘導して両者を完全に整列した状態に保つ機能を果たし、更にタブ６６状の歯への毛髪の取り込みを誘導する。
【００６０】
タブ６６状の歯は、選別された房２が入る箇所にあり、これらの房は歯の咬合箇所に挟まれる。その形状により、装置１を操作する間は固定して毛髪にあてがって保持することができる。
【００６１】
クラスタ６７は、はるかに狭い歯により形成されている。上顎部６１の歯は、顎部の中央に向かって傾いている。歯は、他の顎部６２の対向するクラスタの内部に向かって滑るようにほぼ水平に配置されているため、正確に閉じられることが保証される。顎部６２の他方のクラスタ６７が垂直に配置されていて、当該部位がより固く、且つ他方の顎部６１のクラスタ６７の歯の前方に位置することが保証されている点に言及すべきである。
【００６２】
歯の遠方端の湾曲は、顎部６１，６２を形成すべく歯に対して一定の捻じりを加えた結果である。密閉保持手段６は一定の、但し減少した、前記手段を製造すべく加えた捻じりおよび折り曲げ動作により生じた応力の結果として閉じる傾向を示す可動性および柔軟性を有している。この構成により、施術対象ではない毛髪の隣接部分に影響を及ぼさないよう、毛髪を染色または脱色する容器５内の液体または糊状の薬剤３が装置１を使用している途中で絶対に容器５から漏れ出ないようにできる。
【００６３】
図４、５ａおよび５ｂは、クラスタ６７だけでなくタブ６５、６６状の歯も顎部６１，６２の前面の縁から直接突出しておらず、密閉保持手段６に高い剛性および安定性を提供する小さい隙間６８が存在することを示している。前記空間が無ければ歯の噛み合いが弱く、容器５の開口部が確実に漏れ防止密閉されないため、隙間６８により歯の噛み合いがしっかり保たれる。
【００６４】
特に図４に示す、強調すべき密閉保持手段６の別の構成要素は、図４に見られるように、顎部６１の歯の配列の終端に位置するダイカットの小さい延長部分６９である。前記延長部分６９は、極めて小さい円の形状を有し、その機能は、選別櫛４の一部、特にヘッド部４１が当該顎部６１，６２の間に導入された際の顎部６１，６２の応力を緩和させる、すなわち、顎部６１と６２の間に挟まれた櫛４に過剰な圧力が掛かるのを防止することである。応力の緩和が必要なのは、密閉保持手段６がプラスチック材料の平坦な、切断されて折り曲げられた層状部分から作られている場合である。図５ｃに示す層状部分はほとんど厚さを有していないため、シートを折り曲げ線に沿って折り曲げて密閉保持手段６を簡単且つ安価に形成することができる。図に見られるように、折り曲げらていない層状部分は基本的に長方形をなしており、長方形の２方向の寸法のうち一方が平坦な容器５の幅と同様である。
【００６５】
図１２〜１４を参照する以下の記述は、装置１のユーザーが右利きの人物であることを想定して行う。左利きの人物は手を逆向きに用いられたい。
【００６６】
図１２によれば、上向きにした左手の掌に装置１を載せる。親指と人差し指を用いて支持面を保持する。次に、選別櫛４の自由端４６を右手で保持する。図１２において、密閉保持手段６が頭皮の近くに固定されて支持面に圧力が掛からなくなったならば、左手で密閉保持手段６をしっかりと、但し圧力を掛けないように保持する。次いで、右手で自由端４６または柄４５を少しずつ下向きに引っ張り、ヘッド部から遠ざけていく。当該動作は、櫛４の歯が、容器５（図１４）内部の止め具状の終端に到達するまでゆっくりであるが漸進的に実行される。
【００６７】
毛髪を脱色または染色する装置１の使用法について、図１５〜２０を参照しながら以下に述べる。
【００６８】
図１５は、染色される部位の選別方法を示す。装置１を操作している人物は、普通の櫛７を用いて直線を引き、残りの選別対象外の毛髪をクリップ８で保持する。予め仕切りを決めておくことができる。次に、毛髪に普通の櫛７を通した後、染色したい房２が含まれる毛髪の部分を左手で保持することにより、房の部分が揃う（図１６参照）。次いで、装置１の密閉保持手段６の上部を右手で握って、図１７に示すように頭皮から３〜４ｃｍ離れた房２の部分に導入する。図１８において、左手は房２の部分を放し、次いで密閉手段６３の支持面により装置１を保持する。
【００６９】
先の位置から、右手は次いで装置１を選別櫛４の自由端４６（図１９参照）により保持する。最後に、図２０に示すように、依然として左手に保持されている密閉保持手段６を頭皮の方へ穏やか且つ確実に押し込む。同時に、自由端４６を右手で容器５に沿って反対方向にゆっくり、但し漸進的に引っ張り、やがて容器５は止め具として作用する。図２０において、房２が選別櫛４の歯により引きずられて、密閉保持手段６の歯を通して前記空洞に導入されたのに伴い、薬剤３は現在容器５の空洞内にある。
【００７０】
装置１は従って、毛髪にハイライトを施す簡単且つ清潔な方法を提供する。更に、容器５は、透明または半透明な材料から製造できるため、ハイライトを施している人物は、装置１を取り外して毛髪を洗う前に、房２が所望のトーンを得ているかか否かを確かめることができる。
【００７１】
図２１〜２６は、装置１の好適な実施形態をその構成要素の組み立て工程と合わせて示す。前記図面に示すように構成された装置１は、毛髪を脱色または染色する薬剤３が既に供給された区画５０ａ，５０ｂを備えた装置１への迅速かつ簡便な補充を可能にするため、１回使用した後で同一の装置１を他の房２の施術に直ちに用いることができる。後述するように、区画５０ａ，５０ｂの各々は、図２７〜３１に示すステップに示すように折り曲げられた層状部分で作られている。
【００７２】
図２１の装置１は非動作位置にある状態で示されており、同図に見られるように、容器５は、平坦構造を有し、選別櫛４に結合され、前記櫛に対して対称に配置された２個の区画５０ａ，５０ｂを含んでいる。毛髪を染色または脱色する薬剤３は、区画５０ａ，５０ｂの内側に入れられている。内部に櫛４が部分的に導入されている２個の区画５０ａ，５０ｂの間に存在する中央空間５９もまた、容器５の一部である。各区画５０ａ，５０ｂは折り曲げられた層状部分（図２７、２８参照）を有する構造により形成されており、このため各区画５０ａ，５０ｂは、互いに逆向きであって折り曲げ部位５６により各々の側面の一方で接合された外壁５４および内壁５５により形成されている。内壁５５は、自身が非動作位置にあるときに容器５の中央空間５９を形成し、折り曲げ部位５６の反対側にある各内壁５５の終端５７は、自身の終端５７に設けられた接着ストリップ９１を介して選別櫛４に結合されている。
【００７３】
図２２に示す装置１の動作位置において、櫛４を引っ張った際に、各区画５０ａ，５０ｂの層状構造の展開が図２３に示す終端動作位置まで生じ、その結果各層状構造が完全に展開されて容器５は、各々の長さが非動作位置の外壁５４に内壁５５を加えた和に等しい２枚の壁および前記２枚の壁の間に含まれる中央空間５９より形成されている。
【００７４】
動作のため、各区画５０ａ，５０ｂは、外壁５４と内壁５５の間に形成された空間に、同種の液体または糊状の薬剤３、あるいは、例えば一方が顔料で他方が酸化剤であって他方の区画の薬剤３と接触したならば反応して容器５内の櫛４により選別された房２の染色または脱色させる異なる種類の薬剤を含んでいる。薬剤３の性質は、行う染色または脱色の種類に依存する。
【００７５】
各外壁５４および各内壁５５は、液体または糊状の薬剤３と接触しているおよび／または接触しつつあって、装置１の非動作位置および動作位置の両方において当該薬剤に含浸されるべく意図された内面、および当該内面の反対側の外面を含んでいる。上述のように、前記内面は好適には吸収材、不織布材料で作られているのに対し、外面は薬剤３が容器５を形成する壁を一透過しないように不浸透層で覆われている。
【００７６】
各区画５０ａ，５０ｂの外壁５４は、折り曲げ部位５６の反対側の終端５７で接着ストリップ９２（図２５参照）を備えているため、区画５０ａ，５０ｂは着脱自在に結合されて、各々の顎部６１，６２に取り付けられている。
【００７７】
各外壁５４の側縁９６および各内壁５５の側縁９５はオプションとして、且つ好適には、容器５内で着脱可能な側面密閉を実行する感圧接着剤が塗布されている。非動作位置において、各区画５０ａ，５０ｂは従って、自身の外壁５４の２個の側縁９６が自身の内壁５５の各側縁９５に着脱自在に取り付けられるに従い横方向に密閉される。この取り付けは、各区画５０ａ，５０ｂの層状構造をなす部分が動作位置において徐々に展開される従い徐々に解除される。各区画が徐々に展開されて、特に終端動作位置に到達したならば、ユーザーが圧力を加えて、一方の容器５０ａの外壁５４の側縁９６および内壁５５の側縁９５を、他方の容器５０ｂの外壁５４の側縁９６および内壁５５の側縁９５に各々密閉的に取り付けることができる。
【００７８】
別のオプションは、側縁９５または９６のいずれも一切密閉しないものであるが、これは区画５０ａ，５０ｂの製造に用いる材料が粗いことにより、薬剤３の前進を止めて当該薬剤が横方向に広がって手元の区画５０ａ，５０ｂの外壁５４と内壁５５の間に生じた空間から漏れ出ることを防止できるからである。
【００７９】
図２７〜３１は、区画５０ａの形成（区画５０ｂも同様）を詳細に示す。図２７は、接着ストリップ９２の一方の終端に設けられた細長い層状部分を示し、その接着面を上向きに示し、反対側の終端に別の接着ストリップ９１を有し、その接着面は図示する位置で下向きにされている。一方の面、すなわち図２７の位置によれば下側の面に接着剤が塗布されていて、上述の接着ストリップ９１の形成に寄与する矩形部が、事後に内壁５５を形成する部分の自由端に見られる。
【００８０】
図２８において、細長い層状部分は折り曲げ部位５６の線に沿って折り曲げられ、次いで図２９に示す位置に来る。その結果得られた容器５０ａは、装置１で占める位置に応じて外壁５４および内壁５５と呼ばれる２枚の壁を有し、前記壁は折り曲げ部位５６の終端で接合されている。図３０に見られるように、接着ストリップ９１，９２は上述の例によれば同一方向に向けられていて、折り曲げ部位５６の反対側に終端５７に位置している。接着ストリップ９１，９２は、区画５０ａが装置１内で組み立てられる前に近くの面に接着するのを防止する、ユーザーにより取り外し可能な保護層９３，９４で覆われている。特に図３０において、保護層９３，９４は、上部が主として接着ストリップ９２を覆うべく意図され、下部が主として接着ストリップ９１を覆うべく意図された１枚の紙により形成されているが、上下両部ともに接着ストリップ９１，９２の一部のより広いまたは狭い領域を覆うことに寄与することができる。
【００８１】
保護層または層９３，９４を設ける前に、区画５０ａは好適には既に薬剤３を含んでいて、自身の内面が含浸されている。これは、区画５０ａ，５０ｂが作られている不織布材料の細長い層状部分が好適には連続的なロールから得られるためであり、当該ロールは、連続的なフェーズで当該ロールの一方の面に対応する薬剤３を含浸させ、細長部分の寸法に応じて当該ロールを切断して接着ストリップ９１，９２を形成して各部分を折り曲げる機械に装填されている。次いで、感圧接着剤が塗布された側縁９５，９６が互いに取り付けられて一時的に密閉される。
【００８２】
区画５０ａを横方向に密閉して保護層または層９３，９４（図３０、３１）を設けた後、区画５０ａは装置１で使用すべく配置される準備ができている。実際、図３１に示す区画５０ａは、接着ストリップ９２が下側にあることを示すために保護層９３，９４の隅が部分的に剥がれた状態で示され、補充用区画５０ａ、すなわち消耗品の充填材のように装置１での使用準備ができた組み立てが簡単な区画５０ａを形成している。
【００８３】
前記補給部材を使用するための組み立て工程を図２５、２６および２４にこの順序で示す。図２５は、図３１に示すものと同様の２個の補充用区画５０ａ，５０ｂを示す。図２５において、保護層または層９３，９４は取り除かれ、内壁５５の自由端が、接着ストリップ９１の接着面が接着面９２の反対向きになるように折り返される。図２６において、区画５０ａ，５０ｂの２個の補給部材は、外壁５４が顎部６１，６２の内面に向き合う状態で配置され、前記外壁５４の終端５７が接着ストリップ９２により前記表面に取り付けられる。同図に見られるように、顎部６１，６２の内面の下側の湾曲した輪郭は、終端５７すなわち接着ストリップ９２の縁の湾曲した輪郭に類似している。接着取り付けによる密閉保持手段６間の当該結合の結果を図２４の破線で示す部分に示し、区画５０ｂの外壁５４の接着ストリップ９２は顎部６１の内面に取り付けられている。続いて図２４で、組み立て工程を完了すべく、櫛４は単にその両面に沿って各接着ストリップ９１に取り付けられ、２個の顎部６１，６２は自身の終端に設けられた密閉手段６４により閉じられる。同図に見られるように、密閉手段６４は、選別された房２の厚さに応じて２枚の内壁５５間の隙間を広くまたは狭く保ちながら、櫛４を徐々に接着ストリップ６１に押し付け、また接着ストリップ６２を顎部６１，６２の内面で押し付けることができるという意味で調節可能である。密閉手段６４により密閉保持手段６に圧力を加えて閉じることにより、区画５０ｂの接着ストリップ９２が顎部６２の内面に取り付けられる。実際、密閉手段６４は、櫛４の歯の組が頭皮に沿って通路した（図１７の状況に相当する状況）際に、顎部６１，６２の両終端を取り付けるかまたは結合することができ、密閉保持手段６が頭皮に固定される（図１８）。２個の顎部６１，６２の歯は細長く、当該顎部の内面と直交している。密閉手段６４の動作中、前記歯は互いに噛み合い、噛み合った各対の歯の間を房２が通るのに充分な隙間だけができる。
【００８４】
装置１が終端動作位置まで到達したならば、ユーザーは展開した区画５０ａの側縁９６，９５を、展開した区画５０ｂの側縁９６，９５に押し付けて容器５を横方向に密閉する。薬剤群３との接触により選別された房２を染色または脱色されるのに必要な時間が経過したならば、櫛４および顎部６１，６２から接着ストリップ９１，９２を取り除いて区画５０ａ，５０ｂの補給部材の別の一対と取り替えることにより、区画５０ａ，５０ｂの補給部材を取り外せばよい。区画５０ａ，５０ｂの補給部材の製造に用いる材料は前記区画が使い捨てであることを想定している。
【図１】
2015513996.tif 000003
【図２】
2015513996.tif 000004
【図３】
2015513996.tif 000005
【図４】
2015513996.tif 000006
【図５ａ】
2015513996.tif 000007
【図５ｂ】
2015513996.tif 000008
【図５ｃ】
2015513996.tif 000009
【図６】
2015513996.tif 000010
【図７】
2015513996.tif 000011
【図８】
2015513996.tif 000012
【図９】
2015513996.tif 000013
【図１０】
2015513996.tif 000014
【図１１ａ】
2015513996.tif 000015
【図１１ｂ】
2015513996.tif 000016
【図１１ｃ】
2015513996.tif 000017
【図１１ｄ】
2015513996.tif 000018
【図１１ｅ】
2015513996.tif 000019
【図１１ｆ】
2015513996.tif 000020
【図１２】
2015513996.tif 000021
【図１３】
2015513996.tif 000022
【図１４】
2015513996.tif 000023
【図１５】
2015513996.tif 000024
【図１６】
2015513996.tif 000025
【図１７】
2015513996.tif 000026
【図１８】
2015513996.tif 000027
【図１９】
2015513996.tif 000028
【図２０】
2015513996.tif 000029
【図２１】
2015513996.tif 000030
【図２２】
2015513996.tif 000031
【図２３】
2015513996.tif 000032
【図２４】
2015513996.tif 000033
【図２５】
2015513996.tif 000034
【図２６】
2015513996.tif 000035
【図２７】
2015513996.tif 000036
【図２８】
2015513996.tif 000037
【図２９】
2015513996.tif 000038
【図３０】
2015513996.tif 000039
【図３１】
2015513996.tif 000040
【国際調査報告】
2015513996.tif 000041
2015513996.tif 000042
2015513996.tif 000043
2015513996.tif 000044
2015513996.tif 000045
2015513996.tif 000046
2015513996.tif 000047